(57)【要約】【課題】盗難されたナビゲーション装置を容易に探索可能で、また、盗難ナビゲーション装置を他の車両で利用しようとしても正常な動作が不能な盗品判定システムを提供する。【解決手段】ナビゲーション装置２０の機種を示す機種情報およびナビゲーション装置２０を特定可能なシリアル番号情報を取得部１１により取得し、盗難ナビゲーション装置の機種を示す盗難機種情報および当該盗難ナビゲーション装置を特定可能な盗難シリアル番号情報を外部の盗難情報サービスセンタ１００から車載ＥＴＣ装置３０を介して受信部１２により受信して、取得部１２により取得した情報と受信部１２により受信した盗難情報とを照合部１３にて照合し、照合結果が一致する場合、盗品を検出した旨を示す盗品情報をあらかじめ定めた通報先に車載ＥＴＣ装置３０を介して通報部１４により通報し、動作制御部１５によりナビゲーション装置２０を動作が不能な状態に設定する。【選択図】        図２
2010117830.tif 000002
【特許請求の範囲】
【請求項１】
利用者を目的地まで誘導するナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から受信する受信手段と、前記取得手段により取得された前記機種情報および前記シリアル番号情報と前記受信手段によって受信された１ないし複数の前記盗難機種情報および前記盗難シリアル番号情報とを照合する照合手段とを備え、前記照合手段の照合結果として、前記機種情報および前記シリアル番号情報が前記盗難機種情報および前記盗難シリアル番号情報のいずれかと一致する場合、盗品を検出した旨を示す盗品情報をあらかじめ定めた通報先に通報する通報手段を備えていることを特徴とする盗品判定システム。
【請求項２】
利用者を目的地まで誘導するナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から受信する受信手段と、前記取得手段により取得された前記機種情報および前記シリアル番号情報と前記受信手段によって受信された１ないし複数の前記盗難機種情報および前記盗難シリアル番号情報とを照合する照合手段とを備え、前記照合手段の照合結果として、前記機種情報および前記シリアル番号情報が前記盗難機種情報および前記盗難シリアル番号情報のいずれかと一致する場合、前記ナビゲーション装置を、盗品を検出した旨を示す盗品情報を表示器に表示する動作以外の動作が不能な状態に設定する動作制御手段を備えていることを特徴とする盗品判定システム。
【請求項３】
利用者を目的地まで誘導するナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から受信する受信手段と、前記取得手段により取得された前記機種情報および前記シリアル番号情報と前記受信手段によって受信された１ないし複数の前記盗難機種情報および前記盗難シリアル番号情報とを照合する照合手段とを備え、前記照合手段の照合結果として、前記機種情報および前記シリアル番号情報が前記盗難機種情報および前記盗難シリアル番号情報のいずれかと一致する場合、盗品を検出した旨を示す盗品情報をあらかじめ定めた通報先に通報する通報手段と、前記照合手段の照合結果が一致する場合、前記ナビゲーション装置を動作が不能な状態に設定する動作制御手段とを備えていることを特徴とする盗品判定システム。
【請求項４】
装着されたＥＴＣ（Electronic Toll Collection System）カードに基づいて道路通行料金を自動収受する車載ＥＴＣ装置と接続する接続手段を備え、前記車載ＥＴＣ装置がＥＴＣゲートに設置されているＥＴＣ装置と道路通行料金の収受に関する通信を実施した際に、前記受信手段は、前記接続手段により接続された前記車載ＥＴＣ装置を介して前記ＥＴＣ装置側から前記盗難機種情報および前記盗難シリアル番号情報を受信することを特徴とする請求項１ないし３のいずれかに記載の盗品判定システム。
【請求項５】
装着されたＥＴＣ（Electronic Toll Collection System）カードに基づいて道路通行料金を自動収受する車載ＥＴＣ装置と接続する接続手段を備え、前記車載ＥＴＣ装置がＥＴＣゲートに設置されているＥＴＣ装置と道路通行料金の収受に関する通信を実施した際に、前記通報手段は、前記接続手段により接続された前記車載ＥＴＣ装置を介して前記ＥＴＣ装置側にあらかじめ定めた通報先を付した前記盗品情報を通報することを特徴とする請求項１または３に記載の盗品判定システム。
【請求項６】
前記接続手段により接続された前記車載ＥＴＣ装置側に、前記取得手段、前記受信手段、前記照合手段、前記通報手段、前記動作制御手段の各手段のうち、いずれか１ないし複数の手段が内蔵されていることを特徴とする請求項４または５に記載の盗品判定システム。
【請求項７】
放送電波を受信する放送受信機と接続する接続手段を備え、前記受信手段は、前記接続手段により接続された前記放送受信機を介して前記放送電波に含まれて放送されてくる前記盗難機種情報および前記盗難シリアル番号情報を受信することを特徴とする請求項１ないし３のいずれかに記載の盗品判定システム。
【請求項８】
前記接続手段により接続された前記放送受信機側に、前記取得手段、前記受信手段、前記照合手段、前記動作制御手段の各手段のうち、いずれか１ないし複数の手段が内蔵されていることを特徴とする請求項８に記載の盗品判定システム。
【請求項９】
他の車両との間の車車間通信を行ったり、あるいは、道路上または道路の路側に設置された通信機との間の路車間通信を行う通信手段と接続する接続手段を備え、前記受信手段は、前記接続手段により接続された前記通信手段を介して前記盗難機種情報および前記盗難シリアル番号情報を受信することを特徴とする請求項１ないし３のいずれかに記載の盗品判定システム。
【請求項１０】
他の車両との間の車車間通信を行ったり、あるいは、道路上または道路の路側に設置された通信機との間の路車間通信を行う通信手段と接続する接続手段を備え、前記通報手段は、前記接続手段により接続された前記通信手段を介してあらかじめ定めた通報先を付した前記盗品情報を通報することを特徴とする請求項１または３に記載の盗品判定システム。
【請求項１１】
前記ナビゲーション装置自身に、前記取得手段、前記受信手段、前記照合手段、前記通報手段、前記動作制御手段の各手段のうち、いずれか１ないし複数の手段が内蔵されていることを特徴とする請求項１ないし１０のいずれかに記載の盗品判定システム。
【請求項１２】
利用者を目的地まで誘導するナビゲーション装置において、装着されたＥＴＣ（Electronic Toll Collection System）カードに基づいて道路通行料金を自動収受する車載ＥＴＣ装置と接続する接続手段と、前記ＥＴＣカードのカード番号を登録カード番号として１ないし複数あらかじめ登録するカード番号登録手段と、前記車載ＥＴＣ装置にＥＴＣカードが装着された際に、前記車載ＥＴＣ装置から前記接続手段を介して装着された前記ＥＴＣカードのカード番号を受け取り、前記カード番号登録手段に登録されている前記登録カード番号と照合するカード番号照合手段とを備え、前記カード番号照合手段の照合結果として、装着された前記ＥＴＣカードのカード番号が前記登録カード番号のいずれとも一致しない場合、当該ナビゲーション装置を、盗品を検出した旨を示す盗品情報を表示器に表示する動作以外の動作が不能な状態に設定する動作制御手段を備えていることを特徴とするナビゲーション装置。
【発明の詳細な説明】
【技術分野】
【０００１】
本発明は、盗品判定システムおよびナビゲーション装置に関する。特に、車両に搭載されたカーナビゲーション装置が盗難された場合に好適に適用可能である。車両用のＥＴＣシステム（Electronic Toll Collection System：道路通行料金収受システム）やラジオやテレビの放送波等を利用して、盗難されたナビゲーション装置の機種を示す盗難機種情報および盗難された当該ナビゲーション装置をユニークに特定する固有の番号である盗難シリアル番号情報を取得することにより、利用しようとしているナビゲーション装置が盗難されたナビゲーション装置に該当することを検知した場合、車両に搭載された通報手段を用いてその旨をあらかじめ定めた通報先に通報したり、盗品に該当するナビゲーション装置の動作を不可能に設定したりする。かくのごとく、盗品が使用できなくなることにより、盗難防止にも役立つことになる。
【背景技術】
【０００２】
近年、利用者を目的地まで誘導するカーナビゲーション装置が普及し、多くの車両に搭載されるようになってきているが、価格が高額に上るものであるが故に、盗難されることがしばしば発生している。
【０００３】
そこで、例えば、特許文献１の特開２００４−１３６７３７号公報「車載電子機器の盗難検出装置」においては、車載電子機器例えばカーナビゲーション装置との接続用ケーブルが切断されて車両から取外された状態が発生していることを、信号線上の信号の電圧レベルを監視し、あらかじめ設定した時間以上に亘って電圧レベルが異常であるか否かをチェックすることによって検知し、而して、カーナビゲーション装置の盗難を即時に検出する仕組みを提案している。
【特許文献１】特開２００４−１３６７３７号公報（第４−６頁）
【発明の開示】
【発明が解決しようとする課題】
【０００４】
しかしながら、ナビゲーション装置の盗難を完全に防止することは困難である。つまり、前記特許文献１のような仕組みを用いたとしても、ナビゲーション装置を取外す際に、信号線上の信号の電圧レベルを所定の電圧レベルを維持する状態にあらかじめプルアップさせたり、あるいは、電圧レベルの監視機構を無力化させたりする恐れがある。
【０００５】
さらに、盗難されたカーナビゲーション装置が転売されるケースもあり、盗品とは知らずに、盗難カーナビゲーション装置を購入してしまう場合も多々発生している。他の車両に取り付けられてしまった場合、通常、車両から取り外さなければ、当該カーナビゲーション装置をユニークに特定する固有の番号であるシリアル番号を確認することができず、盗難カーナビゲーション装置を見つけ出すことが、非常に困難であった。したがって、カーナビゲーション装置の盗難が、後を絶たない状況である。
【０００６】
本発明は、かかる事情に鑑みてなされたものであり、ナビゲーション装置が盗難されたとしても、盗難された当該ナビゲーション装置を容易に探し出すことが可能であり、また、盗難された当該ナビゲーション装置を他の車両で利用しようとしても、正常な動作を不能にすることを可能とし、而して、盗難の抑止効果を期待することができる盗品判定システムおよびナビゲーション装置を提供することを、その目的としている。
【課題を解決するための手段】
【０００７】
前述の課題を解決するため、本発明による盗品判定システムおよびナビゲーション装置は、次のような特徴的な構成を採用している。
【０００８】
（１）利用者を目的地まで誘導するナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から受信する受信手段と、前記取得手段により取得された前記機種情報および前記シリアル番号情報と前記受信手段によって受信された１ないし複数の前記盗難機種情報および前記盗難シリアル番号情報とを照合する照合手段とを備え、前記照合手段の照合結果として、前記機種情報および前記シリアル番号情報が前記盗難機種情報および前記盗難シリアル番号情報のいずれかと一致する場合、盗品を検出した旨を示す盗品情報をあらかじめ定めた通報先に通報する通報手段を備えている盗品判定システム。
（２）利用者を目的地まで誘導するナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から受信する受信手段と、前記取得手段により取得された前記機種情報および前記シリアル番号情報と前記受信手段によって受信された１ないし複数の前記盗難機種情報および前記盗難シリアル番号情報とを照合する照合手段とを備え、前記照合手段の照合結果として、前記機種情報および前記シリアル番号情報が前記盗難機種情報および前記盗難シリアル番号情報のいずれかと一致する場合、前記ナビゲーション装置を、盗品を検出した旨を示す盗品情報を表示器に表示する動作以外の動作が不能な状態に設定する動作制御手段を備えている盗品判定システム。
（３）利用者を目的地まで誘導するナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から受信する受信手段と、前記取得手段により取得された前記機種情報および前記シリアル番号情報と前記受信手段によって受信された１ないし複数の前記盗難機種情報および前記盗難シリアル番号情報とを照合する照合手段とを備え、前記照合手段の照合結果として、前記機種情報および前記シリアル番号情報が前記盗難機種情報および前記盗難シリアル番号情報のいずれかと一致する場合、盗品を検出した旨を示す盗品情報をあらかじめ定めた通報先に通報する通報手段と、前記照合手段の照合結果が一致する場合、前記ナビゲーション装置を動作が不能な状態に設定する動作制御手段とを備えている盗品判定システム。
（４）装着されたＥＴＣ（Electronic Toll Collection System）カードに基づいて道路通行料金を自動収受する車載ＥＴＣ装置と接続する接続手段を備え、前記車載ＥＴＣ装置がＥＴＣゲートに設置されているＥＴＣ装置と道路通行料金の収受に関する通信を実施した際に、前記受信手段は、前記接続手段により接続された前記車載ＥＴＣ装置を介して前記ＥＴＣ装置側から前記盗難機種情報および前記盗難シリアル番号情報を受信する上記（１）ないし（３）のいずれかの盗品判定システム。
（５）装着されたＥＴＣ（Electronic Toll Collection System）カードに基づいて道路通行料金を自動収受する車載ＥＴＣ装置と接続する接続手段を備え、前記車載ＥＴＣ装置がＥＴＣゲートに設置されているＥＴＣ装置と道路通行料金の収受に関する通信を実施した際に、前記通報手段は、前記接続手段により接続された前記車載ＥＴＣ装置を介して前記ＥＴＣ装置側にあらかじめ定めた通報先を付した前記盗品情報を通報する上記（１）または（３）の盗品判定システム。
（６）前記接続手段により接続された前記車載ＥＴＣ装置側に、前記取得手段、前記受信手段、前記照合手段、前記通報手段、前記動作制御手段の各手段のうち、いずれか１ないし複数の手段が内蔵されている上記（４）または（５）の盗品判定システム。
（７）放送電波を受信する放送受信機と接続する接続手段を備え、前記受信手段は、前記接続手段により接続された前記放送受信機を介して前記放送電波に含まれて放送されてくる前記盗難機種情報および前記盗難シリアル番号情報を受信する上記（１）ないし（３）のいずれかの盗品判定システム。
（８）前記接続手段により接続された前記放送受信機側に、前記取得手段、前記受信手段、前記照合手段、前記動作制御手段の各手段のうち、いずれか１ないし複数の手段が内蔵されている上記（８）の盗品判定システム。
（９）他の車両との間の車車間通信を行ったり、あるいは、道路上または道路の路側に設置された通信機との間の路車間通信を行う通信手段と接続する接続手段を備え、前記受信手段は、前記接続手段により接続された前記通信手段を介して前記盗難機種情報および前記盗難シリアル番号情報を受信する上記（１）ないし（３）のいずれかの盗品判定システム。
（１０）他の車両との間の車車間通信を行ったり、あるいは、道路上または道路の路側に設置された通信機との間の路車間通信を行う通信手段と接続する接続手段を備え、前記通報手段は、前記接続手段により接続された前記通信手段を介してあらかじめ定めた通報先を付した前記盗品情報を通報する上記（１）または（３）の盗品判定システム。
（１１）前記ナビゲーション装置自身に、前記取得手段、前記受信手段、前記照合手段、前記通報手段、前記動作制御手段の各手段のうち、いずれか１ないし複数の手段が内蔵されている上記（１）ないし（１０）のいずれかの盗品判定システム。
（１２）利用者を目的地まで誘導するナビゲーション装置において、装着されたＥＴＣ（Electronic
Toll Collection System）カードに基づいて道路通行料金を自動収受する車載ＥＴＣ装置と接続する接続手段と、前記ＥＴＣカードのカード番号を登録カード番号として１ないし複数あらかじめ登録するカード番号登録手段と、前記車載ＥＴＣ装置にＥＴＣカードが装着された際に、前記車載ＥＴＣ装置から前記接続手段を介して装着された前記ＥＴＣカードのカード番号を受け取り、前記カード番号登録手段に登録されている前記登録カード番号と照合するカード番号照合手段とを備え、前記カード番号照合手段の照合結果として、装着された前記ＥＴＣカードのカード番号が前記登録カード番号のいずれとも一致しない場合、当該ナビゲーション装置を、盗品を検出した旨を示す盗品情報を表示器に表示する動作以外の動作が不能な状態に設定する動作制御手段を備えているナビゲーション装置。
【発明の効果】
【０００９】
本発明の盗品判定システムおよびナビゲーション装置によれば、以下のような効果を得ることができる。
【００１０】
ナビゲーション装置が盗難にあったとしても、車載ＥＴＣ装置を用いてあるいは放送受信機を用いて、盗難されたナビゲーション装置の機種名を示す盗難機種情報および盗難ナビゲーション装置をユニークに特定することが可能な固有の盗難シリアル番号情報を外部から受信し、搭載しているナビゲーション装置の機種情報およびそのシリアル番号情報と照合することにより、搭載している当該ナビゲーション装置が盗品であるか否かを確認することができ、盗品であった場合は、あらかじめ登録しておいた、警察等の通報先へ盗品の旨を通報したり、盗難情報サービスセンタヘ盗品の旨を連絡したり、あるいは、盗品ナビゲーション装置のナビゲーションサービス用の動作を不能な状態に設定したりすることによって、盗品ナビゲーション装置をより確実に発見することができる可能性が高くなり、結果的には、盗難の抑制に繋がることになる。
【００１１】
また、車載ＥＴＣ装置に装着されたＥＴＣカードが、登録カード番号として当該車両のナビゲーション装置にあらかじめ登録されていたＥＴＣカードの番号と異なる場合、当該ナビゲーション装置が盗品であるものと判定して、当該ナビゲーション装置のナビゲーションサービス用の動作を不能な状態に設定するとともに、あらかじめ登録しておいた通報先へ盗品情報を通報することを促すメッセージを表示器に表示することによって、盗品ナビゲーション装置をより確実に発見することができる可能性が高くなり、結果的には、盗難の抑制に繋がることになる。
【発明を実施するための最良の形態】
【００１２】
以下、本発明による盗品判定システムおよびナビゲーション装置の好適な実施例について添付図を参照して説明する。
【００１３】
（本発明の特徴）
本発明の実施形態の説明に先立って、本発明の特徴についてその概要をまず説明する。本発明は、次のような構成を採用している。
【００１４】
（１）利用しているナビゲーション装置が盗品であるか否かを判定する盗品判定システムであって、当該ナビゲーション装置の機種を示す機種情報および当該ナビゲーション装置をユニークに特定する固有の番号であるシリアル番号情報を取得する取得手段と、盗難された盗難ナビゲーション装置の機種を示す盗難機種情報および当該盗難ナビゲーション装置をユニークに特定する固有の番号である盗難シリアル番号情報を外部から例えば盗難情報サービスセンタ等から無線ネットワークや放送電波等を介して受信する受信手段と、前記取得手段により取得された前記機種情報および前記シリアル番号情報と前記受信手段によって受信された１ないし複数の前記盗難機種情報および前記盗難シリアル番号情報とを照合する照合手段と、前記照合手段の照合結果として、前記機種情報および前記シリアル番号情報が前記盗難機種情報および前記盗難シリアル番号情報のいずれかと一致する場合、盗品を検出した旨を示す盗品情報をあらかじめ定めた通報先例えば警察や盗難情報サービスセンタに通報する通報手段と、を備え、盗品と判定されたナビゲーション装置を搭載している車両を容易に特定することを可能とする。
【００１５】
（２）さらには、前記照合手段の照合結果が一致する場合、該当するナビゲーション装置を動作不能の状態に設定する動作制御手段を前記通報手段の代わりにあるいは前記通報手段の他に備え、盗品と判定されたナビゲーション装置を例えば故障モードに設定して動作しないようにし、ナビゲーション装置としてのサービス機能を一切実施しないように制御する。
【００１６】
（３）ここで、例えば、前記受信手段として、装着されたＥＴＣカードに基づいて道路通行料金を自動収受する車載ＥＴＣ装置と接続して、ＥＴＣゲートに設置されているＥＴＣ装置との間で道路通行料金を収受する無線通信を実施した際に、ＥＴＣ装置と接続された盗難情報サービスセンタから盗難機種情報および盗難シリアル番号情報を、ＥＴＣ装置および車載ＥＴＣ装置を介して入手するようにしても良い。
【００１７】
さらに、前記照合手段による照合結果により、搭載しているナビゲーション装置が盗品に該当すると判定された場合、前記通報手段として、前記車載ＥＴＣ装置を用いて、前記車載ＥＴＣ装置を介して前記ＥＴＣ装置側にあらかじめ定めた通報先（例えば警察や盗難情報サービスセンタの宛先）を付した前記盗品情報を通報するようにしても良い。かかる場合は、前記盗品情報としてさらに前記車載ＥＴＣ装置の登録情報（例えば搭載車種・個人情報等）を含んで送信するようにしても良い。前記盗難情報を受信した前記ＥＴＣ装置は、指定された前記通報先に対して前記盗品情報を転送することにより、前記通報先において、盗難されたナビゲーション装置の所在場所を容易に特定することができる。なお、搭載しているナビゲーション装置が盗品に該当すると判定された場合、前記動作制御手段を作動させて、ナビゲーション装置としての動作を一切不能にするようにしても良い。
【００１８】
（４）また、前記受信手段として、放送電波例えば地上デジタル放送のデータ放送を受信する放送受信機と接続し、放送電波に含まれて放送されてくる前記盗難機種情報および前記盗難シリアル番号情報を入手するようにしても良い。
【００１９】
ここで、前記照合手段による照合結果により、搭載しているナビゲーション装置が盗品に該当すると判定された場合、前記動作制御手段を作動させて、あらかじめ登録している通報先例えば警察や盗難情報サービスセンタの電話番号、ＵＲＬ等を当該ナビゲーション装置の表示器に表示するのみで、ナビゲーション装置としてのそれ以外の動作を一切実施しない状態に強制的に設定するようにしても良い。この結果、ナビゲーション装置の表示器に表示された通報先に対して、利用者は盗品と判定されたナビゲーション装置に関する問合せを行うことになる。
【００２０】
（５）あるいは、路車間通信や車車間通信等の何らかの通信手段が搭載されている場合は、前記通報手段として、該通信手段を利用して、あらかじめ定めた通報先に対して前記盗品情報を自動的に送信するようにしても良い。かかる場合には、前記照合手段による照合結果により、搭載しているナビゲーション装置が盗品に該当すると判定された場合、自車の車種情報・位置情報を、前記盗難情報に含めて、あらかじめ定めた通報先に対して、該通信手段を用いて常に通報し続けるようにすれば、盗品が搭載された車両の車種と現在位置とを容易に特定することが可能になる。さらに、路車間通信や車車間通信等を行う該通信手段を、前記受信手段として利用して、前記盗難機種情報および前記盗難シリアル番号情報を入手するようにしても良い。
【００２１】
（６）なお、前記取得手段、前記受信手段、前記照合手段、前記通報手段、前記動作制御手段の各手段のうち、いずれか１ないし複数の手段を、ナビゲーション装置自身に内蔵させるようにしても良いし、あるいは、前記車載ＥＴＣ装置または放送受信機に内蔵させるようにしても良い。
【００２２】
（７）また、装着されたＥＴＣカードに基づいて道路通行料金を自動収受する車載ＥＴＣ装置と接続する接続手段と、前記ＥＴＣカードのカード番号を登録カード番号として１ないし複数あらかじめ登録するカード番号登録手段と、前記車載ＥＴＣ装置にＥＴＣカードが装着された際に、前記車載ＥＴＣ装置から前記接続手段を介して装着された前記ＥＴＣカードのカード番号を受け取り、前記カード番号登録手段に登録されている前記登録カード番号と照合するカード番号照合手段とを備え、前記カード番号照合手段の照合結果として、装着された前記ＥＴＣカードのカード番号が前記登録カード番号のいずれとも一致しない場合、当該ナビゲーション装置の正当な利用者が所持しているＥＴＣカードとは異なるＥＴＣカードが挿入されたものとみなして、当該ナビゲーション装置を動作不能な状態に設定する動作制御手段を備え、盗品と判定されたナビゲーション装置を例えば故障モードに設定して動作しないようにし、ナビゲーション装置としてのサービスを一切実施しないように制御するようにしても良い。
【００２３】
以上のごときいずれかの構成を採用することにより、ナビゲーション装置が盗難されたとしても、盗難されたナビゲーション装置を容易に見つけ出すことは可能になるため、あるいは、盗難されたナビゲーション装置の動作が不能な状態に強制的に設定されてしまうため、ナビゲーション装置の盗難行為そのものの抑制に繋げることができる。
【００２４】
（第１の実施例）
図１は、本発明による盗品判定システムの第１の実施例の概要を示す概念図であり、ナビゲーション装置に関する盗難機種情報及び盗難シリアル番号情報を受信する受信手段および盗品を搭載していると判定した際の盗品情報を通報する通報手段として車載ＥＴＣ（Electronic Toll Collection System）装置を用いた場合の構成例を示している。
【００２５】
図１の盗品判定システムに示すように、車両２００側には、ナビゲーション装置２０が盗品か否かを判定する盗品判定装置１０、利用者を目的地まで誘導するナビゲーション装置２０、道路通行料金の自動的な収受を行うための車載ＥＴＣ装置３０およびＥＴＣアンテナ３０ａが搭載されており、道路通行料金徴収ゲートであるＥＴＣゲート４０には、車載ＥＴＣ装置３０に装着されているＥＴＣカードに基づいて通行料金を収受するＥＴＣ装置４１と通行料金の収受状況に応じて車両２００の通行用ゲートを開閉するゲート開閉装置４２とが配置されている。さらに、ＥＴＣ装置４１は、収受した通行料金を集中的に管理する中央情報処理装置４３に接続されている。また、中央情報処理装置４３は、盗難されたナビゲーション装置の機種を示す盗難機種情報および当該ナビゲーション装置をユニークに特定する固有の番号である盗難シリアル番号情報を管理している盗難情報サービスセンタ１００と接続されている。
【００２６】
図１の盗品判定システムにおいて、車両２００がＥＴＣゲート４０を通過する際に、盗品判定装置１０は、ナビゲーション装置に関する盗難機種情報および盗難シリアル番号情報を、車載ＥＴＣ装置３０、ＥＴＣ装置４１、中央情報処理装置４３を介して、盗難情報サービスセンタ１００から取得する。なお、図１においては、盗品判定装置１０をナビゲーション装置２０や車載ＥＴＣ装置３０とは別個に配置しているが、該盗品判定装置１０を構成する一部の構成要素（機能）を、ナビゲーション装置２０や車載ＥＴＣ装置３０に内蔵させるようにしても良いし、さらには、該盗品判定装置１０そのもの（つまり盗品判定装置１０のすべての構成要素（機能））をナビゲーション装置２０あるいは車載ＥＴＣ装置３０に内蔵させるようにしても良い。
【００２７】
図２は、図１の盗品判定システムにおける盗品判定装置１０の内部構成の詳細を示すシステム構成図である。図３の盗品判定システム１０Ａに示すように、盗品判定装置１０は、搭載されているナビゲーション装置２０の機種を示す機種情報および当該ナビゲーション装置２０をユニークに特定する固有の番号であるシリアル番号情報を取得する取得部１１、盗難された盗難ナビゲーション装置の機種を示す盗難機種情報および当該盗難ナビゲーション装置をユニークに特定する固有の番号である盗難シリアル番号情報を車載ＥＴＣ装置３０を介して外部から受信する受信部１２、取得部１１により取得されたナビゲーション装置２０の機種情報およびシリアル番号情報と受信部１２によって受信された１ないし複数の盗難機種情報および盗難シリアル番号情報とを照合する照合部１３、照合部１３の照合結果として、ナビゲーション装置２０の機種情報およびシリアル番号情報が盗難機種情報および盗難シリアル番号情報のいずれかと一致する場合、盗品を検出した旨を示す盗品情報をあらかじめ定めた通報先に通報する通報部１４を少なくとも備えている。さらには、場合によっては、照合部１３の照合結果が一致する場合、ナビゲーション装置２０を動作不能な状態に設定する動作制御部１５をさらに備えるようにしても良い。
【００２８】
（第１の実施例の動作の説明）
次に、図２に示す盗品判定システム１０Ａの動作の一例を図４のフローチャートを用いて説明する。ここに、図３は、図２に示す盗品判定システム１０Ａの動作の一例を示すフローチヤートであり、道路通行料金の自動収受を行うＥＴＣシステムを利用して、ナビゲーション装置の盗品の有無を判定する場合の動作の一例を示している。
【００２９】
図３のフローチャートにおいて、まず、ＥＴＣカード３１を装着した車載ＥＴＣ装置３０が搭載されている車両２００が道路通行料金徴収ゲートであるＥＴＣゲート４０を通過しようとする際、ＥＴＣアンテナ３０ａを介してＥＴＣ装置４１との通信が開始される（ステップＳ１のＹｅｓ）。通信が開始されると、ＥＴＣ装置４１は、車載ＥＴＣ装置３０に装着されているＥＴＣカードの情報を読み取って道路通行料金を自動収受するための通信を車載ＥＴＣ装置３０との間で行う（ステップＳ２）。
【００３０】
道路通行料金の自動収受処理が終了すると、例えば、盗品判定装置１０から車載ＥＴＣ装置３０を介して盗難ナビゲーション装置に関する情報の受信要求をＥＴＣ装置４１に対して送信することにより、ＥＴＣ装置４１は、中央情報処理装置４３を介して盗難情報サービスセンタ１００にアクセスし、盗難ナビゲーション装置に関する情報として盗難情報サービスセンタ１００に登録されている、１ないし複数の盗難機種情報および盗難シリアル番号情報を取得する。
【００３１】
盗難機種情報および盗難シリアル番号情報を取得したＥＴＣ装置４１は、要求元の車両２００に盗難機種情報および盗難シリアル番号情報を送り返す。ＥＴＣ装置４１からの盗難機種情報および盗難シリアル番号情報を受け取った車載ＥＴＣ装置３０は、盗品判定装置１０の受信部１２に転送する（ステップＳ３）。
【００３２】
また、盗品判定装置１０の取得部１１は、搭載されているナビゲーション装置２０から当該ナビゲーション装置２０の機種情報およびシリアル番号情報を取得し、照合部１３において、受信部１２にて受信された盗難機種情報および盗難シリアル番号情報と照合する（ステップＳ４）。
【００３３】
照合部１３の照合結果として、搭載されているナビゲーション装置２０の機種情報およびシリアル番号情報が、受信部１２にて受信された１ないし複数の盗難機種情報および盗難シリアル番号情報のうちのいずれかと一致している場合（ステップＳ４のＹｅｓ）、当該ナビゲーション装置２０は盗品であるものと判定して、通報部１４を駆動する。
【００３４】
通報部１４は、ナビゲーション装置２０が盗品であること、該ナビゲーション装置２０の機種情報およびシリアル番号情報、該ナビゲーション装置２０が搭載されている車両２００の車種情報や車載ＥＴＣ装置３０の登録情報である個人情報、さらには、あらかじめ定めた通報先例えば盗難情報サービスセンタ１００を宛先として含む盗品情報を生成して、車載ＥＴＣ装置３０からＥＴＣ装置４１に対して送信する。
【００３５】
車載ＥＴＣ装置３０から該盗品情報を受信したＥＴＣ装置４１は、中央情報処理装置４３を経由して、宛先として指定されている通報先例えば盗難情報サービスセンタ１００に対して、受信した盗品情報を転送する（ステップＳ５）。
【００３６】
盗品情報を受信した盗難情報サービスセンタ１００は、盗品情報に含まれているナビゲーション装置２０の機種情報およびシリアル番号情報のみならず、車両２００の車種情報や車載ＥＴＣ装置３０の登録情報である個人情報を、ナビゲーション装置盗品情報として警察へ通報する（ステップＳ６）。盗品の所在場所を特定した通報を受け取った警察は、盗品のナビゲーション装置２０の回収が容易に可能となる。以上の各ステップを実施した後、車載ＥＴＣ装置３０とＥＴＣ装置４１との間の通信を終了する（ステップＳ７）。
【００３７】
なお、図３のフローチャートにおいては、通報先として盗難情報サービスセンタ１００を指定する場合について説明したが、本実施例のようにＥＴＣシステムを利用する場合、通報先を、例えば、道路通行料金の管理を行っている中央情報処理装置４３に常に固定し、中央情報処理装置４３から警察へ直接通報するようにしても良い。また、盗難情報つまり盗難情報サービスセンタの盗難機種情報および盗難シリアル番号情報を受信するための通信手段についても、盗品情報を通報するための通報手段と同一のＥＴＣシステムを用いたが、ＥＴＣシステムに特定するものではなく、盗難情報を受信する通信手段を、該通報手段とは異なる他の通信手段例えば放送受信機や路車間通信や車車間通信等を用いてもかまわない。あるいは、盗難情報つまり盗難情報サービスセンタの盗難機種情報および盗難シリアル番号情報を受信するための通信手段をＥＴＣシステムとして用いる場合、盗品情報を通報するための通報手段を他の通信手段例えば路車間通信や車車間通信等を用いてもかまわない。
【００３８】
また、図３のフローチャートには示していないが、照合部１３の照合結果として、搭載されているナビゲーション装置２０の機種情報およびシリアル番号情報が、受信部１２にて受信された１ないし複数の盗難機種情報および盗難シリアル番号情報のうちのいずれかと一致している場合、通報部１４を駆動して、盗品情報を通報するとともに、動作制御部１５を駆動して、ナビゲーション装置２０の動作を一切不能とする状態に強制的に設定するようにしても良い。
【００３９】
（第２の実施例）
図４は、本発明による盗品判定システムの第２の実施例の概要を示す概念図であり、ナビゲーション装置に関する盗難機種情報及び盗難シリアル番号情報を受信する受信手段として放送電波例えばデジタルテレビ放送電波を受信する放送受信機を用いた場合の構成例を示している。
【００４０】
図４の盗品判定システムに示すように、車両２００側には、ナビゲーション装置２０が盗品か否かを判定する盗品判定装置１０、利用者を目的地まで誘導するナビゲーション装置２０、放送電波例えばデジタルテレビ放送電波を受信する放送受信機５０およびテレビアンテナ５０ａが搭載されており、放送局６２からデジタルテレビ放送送信所６１を介して放送されてくるデジタルテレビ放送電波を受信することが可能になっている。ここで、放送局６２は、盗難されたナビゲーション装置の機種を示す盗難機種情報および当該ナビゲーション装置をユニークに特定する固有の番号である盗難シリアル番号情報を管理している盗難情報サービスセンタ１００と接続されており、盗難情報サービスセンタ１００から取得した盗難機種情報および盗難シリアル番号情報を、放送信号の一部として例えばデジタルテレビ信号のデータ放送信号として放送電波に含ませて放送することができる。
【００４１】
図４の盗品判定システムにおいては、盗品判定装置１０は、ナビゲーション装置に関する盗難機種情報および盗難シリアル番号情報を、放送電波を受信する放送受信機５０を介して取得する。なお、図４においては、盗品判定装置１０をナビゲーション装置２０や放送受信機５０とは別個に配置しているが、該盗品判定装置１０を構成する一部の構成要素（機能）を、ナビゲーション装置２０や放送受信機５０に内蔵させるようにしても良いし、さらには、該盗品判定装置１０そのもの（つまり盗品判定装置１０のすべての構成要素（機能））をナビゲーション装置２０あるいは放送受信機５０に内蔵させるようにしても良い。
【００４２】
図５は、図４の盗品判定システムにおける盗品判定装置１０の内部構成の詳細を示すシステム構成図である。
【００４３】
図５の盗品判定システム１０Ｂに示すように、盗品判定装置１０は、搭載されているナビゲーション装置２０の機種を示す機種情報および当該ナビゲーション装置２０をユニークに特定する固有の番号であるシリアル番号情報を取得する取得部１１、盗難された盗難ナビゲーション装置の機種を示す盗難機種情報および当該盗難ナビゲーション装置をユニークに特定する固有の番号である盗難シリアル番号情報を放送電波例えばデジタルテレビ放送電波を受信する放送受信機５０を介して外部から受信する受信部１２、取得部１１により取得されたナビゲーション装置２０の機種情報およびシリアル番号情報と受信部１２によって受信された１ないし複数の盗難機種情報および盗難シリアル番号情報とを照合する照合部１３、照合部１３の照合結果として、ナビゲーション装置２０の機種情報およびシリアル番号情報が盗難機種情報および盗難シリアル番号情報のいずれかと一致する場合、ナビゲーション装置２０を、例えば盗品である旨を表示器に表示する動作を除いてナビゲーション装置２０としての動作が一切不能な状態に設定する動作制御部１５を少なくとも備えている。さらには、場合によっては、照合部１３の照合結果が一致する場合、盗品を検出した旨を示す盗品情報をあらかじめ定めた通報先に通報する通報部１４をさらに備えるようにしても良い。
【００４４】
（第２の実施例の動作の説明）
次に、図５に示す盗品判定システム１０Ｂの動作の一例を図６のフローチャートを用いて説明する。ここに、図６は、図５に示す盗品判定システム１０Ｂの動作の一例を示すフローチヤートであり、放送電波を受信する放送受信機例えばデジタルテレビ放送の放送電波を受信するデジタルテレビ放送受信機を利用して、ナビゲーション装置の盗品の有無を判定する場合の動作の一例を示している。
【００４５】
図６のフローチャートにおいて、まず、デジタルテレビ放送の放送電波を受信する放送受信機５０が、放送局６２がデジタルテレビ放送送信所６１を介して放送しているデジタルテレビ放送電波中に含まれているデータ放送信号を受信すると（ステップＳ１１のＹｅｓ）、該データ放送信号をデコードして当該データ放送信号に含まれている１ないし複数の盗難機種情報および盗難シリアル番号情報を抽出する。抽出された１ないし複数の盗難機種情報および盗難シリアル番号情報は、盗品判定装置１０の受信部１２に転送される（ステップＳ１２）。ここで、放送局６２は、あらかじめ定めた周期で、盗難機種情報および盗難シリアル番号情報を管理している盗難情報サービスセンタ１００から定期的に盗難機種情報および盗難シリアル番号情報を取得して、データ放送として放送するようにしている。
【００４６】
また、盗品判定装置１０の取得部１１は、搭載されているナビゲーション装置２０から当該ナビゲーション装置２０の機種情報およびシリアル番号情報を取得し、照合部１３において、受信部１２にて受信された盗難機種情報および盗難シリアル番号情報と照合する（ステップＳ１３）。
【００４７】
照合部１３の照合結果として、搭載されているナビゲーション装置２０の機種情報およびシリアル番号情報が、受信部１２にて受信された１ないし複数の盗難機種情報および盗難シリアル番号情報のうちのいずれかと一致している場合（ステップＳ１３のＹｅｓ）、当該ナビゲーション装置２０は盗品であるものと判定して、動作制御部１５を駆動する。
【００４８】
動作制御部１５は、ナビゲーション装置２０のナビゲーション用のサービスとしての動作を一切不能にする状態に強制的に設定し、さらに、当該ナビゲーション装置２０が盗品である旨を示す盗品情報をあらかじめ定めた通報先例えば盗難情報サービスセンタ１００に通報するように促すメッセージと、該通報先の連絡先情報（電話番号やＵＲＬ等）とを表示器に表示させる（ステップＳ１４）。
【００４９】
表示器に表示された盗品情報を見た当該車両２００の利用者は、表示されている通報先の連絡先へ該盗品情報を通報する。盗品情報の通報を受け取った通報先例えば盗難情報サービスセンタ１００は、該盗品情報に含まれているナビゲーション装置２０の機種情報およびシリアル番号情報やさらにはナビゲーション装置２０が搭載されている車両２００の車種情報を、ナビゲーション装置盗品情報として警察へ通報する。盗品の所在場所を特定した通報を受け取った警察は、盗品のナビゲーション装置２０の回収が容易に可能となる。
【００５０】
なお、図６のフローチャートにおいては、盗品情報を表示器に表示して、当該車両２００の利用者が通報先例えば盗難情報サービスセンタ１００へ通報する場合について説明したが、かかる場合のみに限るものではない。例えば、当該車両２００に路車間通信や車車間通信等の他の通信手段やあるいは第１の実施例のようなＥＴＣシステムのような他の通信手段を搭載している場合、当該車両２００に搭載されている他の通信手段を、盗品情報の通報手段として利用するようにしても良い。かかる場合は、当該車両２００の利用者を介することなく、自動的に、あるいは、当該車両２００の利用者からの指示に基づいて、当該他の通信手段を用いて盗品情報をあらかじめ定めた通報先に送信することができる。
【００５１】
また、ここでは、盗難情報つまり盗難機種情報および盗難シリアル番号情報の取得手段としてデジタルテレビ放送のデータ放送信号を用いたが、デジタルテレビ放送に特定するものではなく、他の放送電波を用いてもかまわない。また、図４、図５の構成例においては、デジタルテレビ放送の放送受信機５０は、盗品判定装置１０と外部接続する形態となっているが、前述したように、盗品判定装置１０と一体構造になっていても良いし、あるいは、ナビゲーション装置２０に、盗品判定装置１０とともに内蔵されていてもかまわない。
【００５２】
（第３の実施例）
図７は、本発明によるナビゲーション装置の前述した実施例とは異なる内部構成の一例を示す構成図であり、当該ナビゲーション装置に車載ＥＴＣ装置３０を接続し、当該ナビゲーション装置自身によって、車載ＥＴＣ装置３０に装着されるＥＴＣカード３１からの情報に基づいて、当該ナビゲーション装置に関する盗難の有無を判定する場合の構成例を示している。
【００５３】
図７のナビゲーション装置２０Ａに示すように、ナビゲーション装置２０Ａは、道路通行料金を自動収受する車載ＥＴＣ装置３０と接続する接続部２４を備えるとともに、ナビゲーション用および盗品判定用の情報を処理する情報処理装置２１、各種情報を画面表示する表示器２２の他に、接続した車載ＥＴＣ装置３０に装着されるＥＴＣカードのカード番号を登録カード番号２３ａとして１ないし複数あらかじめ記憶する不揮発性内蔵メモリ２３を少なくとも備えている。なお、不揮発性内蔵メモリ２３は、例えば、ＲＯＭやフラッシュメモリやＨＤＤなど、電源がＯＦＦの状態でも記憶情報が消滅しない不揮発性のものであれば、如何なる属性のメモリであっても良く、また、当該不揮発性内蔵メモリ２３は、ナビゲーション用の地図情報やプログラムなどを格納しているメモリと同一のものであっても良い。
【００５４】
ここで、情報処理装置２１には、前記登録カード番号を不揮発性内蔵メモリ２３に登録する処理を行うカード番号登録部２１ａ、車載ＥＴＣ装置３０にＥＴＣカード３１が装着された際に、接続部２４を介して、装着されたＥＴＣカード３１のカード番号を車載ＥＴＣ装置３０から受け取り、カード番号登録部２１ａにより不揮発性内蔵メモリ２３に登録されている登録カード番号２３ａと照合するカード番号照合部２１ｂ、および、カード番号照合部２１ｂの照合結果として、車載ＥＴＣ装置３０に装着されたＥＴＣカード３１のカード番号が、登録カード番号２３ａのいずれとも一致しない場合、当該ナビゲーション装置２０Ａ自身を、例えば盗品である旨を表示器２２に表示する動作を除いて当該ナビゲーション装置２０Ａとしてのナビゲーションサービス用の動作が不能な状態に設定する動作制御部２１ｃを少なくとも備えている。
【００５５】
また、ナビゲーション装置２０Ａに接続する車載ＥＴＣ装置３０は、第１の実施例の場合と同様の構成であり、ＥＴＣゲートのＥＴＣ装置と無線通信を行うＥＴＣアンテナ３０ａを備え、道路通行料金の収受用の情報を格納しているＥＴＣカード３１が装着される構成とされている。
【００５６】
（第３の実施例の動作の説明）
次に、図７に示すナビゲーション装置２０Ａの動作の一例を図８のフローチャートを用いて説明する。ここに、図８は、図７に示すナビゲーション装置２０Ａの動作の一例を示すフローチヤートであり、道路通行料金の自動収受を行うＥＴＣシステムを利用して、ナビゲーション装置２０Ａ自身の盗品の有無を判定する場合の動作の一例を示している。
【００５７】
図８のフローチャートにおいて、まず、ナビゲーション装置２０Ａと接続されている車載ＥＴＣ装置３０にＥＴＣカード３１が装着されたか否かを、接続部２４を介して情報処理装置２１が確認し（ステップＳ２１）、ＥＴＣカード３１が装着されたことを確認した場合（ステップＳ２１のＹｅｓ）、装着されたＥＴＣカード３１のカード番号と同一の番号が、カード番号登録部２１ａにより不揮発性内蔵メモリ２３にあらかじめ登録している登録カード番号２３ａの中に存在しているか否かを照合する動作をカード番号照合部２１ｂにより行う（ステップＳ２２）。
【００５８】
装着されたＥＴＣカード３１のカード番号が１ないし複数の登録カード番号２３ａのいずれとも一致していなかった場合（ステップＳ２２のＮｏ）、ナビゲーション装置２０Ａ自身が盗難されて、異なる利用者が所有する別の車両に搭載されたものであるものとみなして、動作制御部２１ｃを駆動する。
【００５９】
動作制御部２１ｃは、当該ナビゲーション装置２０Ａのナビゲーション用のサービスとしての動作を一切不能な状態に強制的に設定し、さらに、当該ナビゲーション装置２０Ａ自身が盗品である旨を示す盗品情報をあらかじめ定めた通報先例えば盗難情報サービスセンタ１００に通報するように促すメッセージと、該通報先の連絡先情報（電話番号やＵＲＬ等）とを表示器２２に表示させる（ステップＳ２３）。
【００６０】
表示器２２に表示された盗品情報を見た当該車両の利用者は、表示されている通報先の連絡先へ該盗品情報を通報する。盗品情報の通報を受け取った通報先例えば盗難情報サービスセンタ１００は、該盗品情報に含まれているナビゲーション装置２０Ａの機種情報およびシリアル番号情報やさらにはナビゲーション装置２０Ａが搭載されている車両の車種情報を、ナビゲーション装置盗品情報として警察へ通報する。盗品の所在場所を特定した通報を受け取った警察は、盗品のナビゲーション装置２０Ａの回収が容易に可能となる。
【００６１】
なお、図８のフローチャートにおいては、ナビゲーション装置２０Ａ自身が盗品であることを示す盗品情報を表示器２２に表示して、当該ナビゲーション装置２０Ａを搭載している車両の利用者が通報先例えば盗難情報サービスセンタ１００へ通報する場合について説明したが、かかる場合のみに限るものではない。例えば、当該車両に路車間通信や車車間通信等の他の通信手段を搭載している場合、当該車両に搭載されている他の通信手段を、あるいは、車載ＥＴＣ装置３０のような他の通信手段を、盗品情報の通報手段として利用するようにしても良い。かかる場合は、当該車両の利用者を介することなく、自動的に、あるいは、当該車両の利用者からの指示に基づいて、当該他の通信手段を用いて盗品情報をあらかじめ定めた通報先に送信することができる。
【００６２】
また、ここでは、ナビゲーション装置２０Ａの盗品の有無を判定するための各手段を、ナビゲーション装置２０Ａ自身に内蔵する場合について説明したが、該ナビゲーション装置２０Ａと接続されている車載ＥＴＣ装置３０側に内蔵させるようにしても良い。また、場合によっては、ナビゲーション装置２０Ａと車載ＥＴＣ装置３０とが一体構造になっていても良い。
【００６３】
（各実施例における効果の説明）
以上詳細に説明したように、本発明の第１、第２の実施例における盗品判定システム１０Ａ，１０Ｂによれば、次のような効果を奏することができる。
【００６４】
つまり、ナビゲーション装置２０が盗難にあったとしても、車載ＥＴＣ装置３０を用いてあるいは放送受信機５０を用いて、盗難されたナビゲーション装置の機種名を示す盗難機種情報および盗難ナビゲーション装置をユニークに特定することが可能な固有の盗難シリアル番号情報を外部の盗難情報サービスセンタ１００から受信し、接続されたナビゲーション装置２０の機種情報およびそのシリアル番号情報と照合することにより、接続された当該ナビゲーション装置２０が盗品であるか否かを確認することができ、盗品であった場合は、あらかじめ登録しておいた、警察等の通報先へ盗品の旨を通報したり、盗難情報サービスセンタ１００へ盗品の旨を連絡したり、あるいは、盗品のナビゲーション装置２０のナビゲーションサービス用の動作を不能な状態に設定したりすることによって、盗品ナビゲーション装置２０をより確実に発見することができる可能性が高くなり、結果的には、盗難の抑制に繋がることになる。
【００６５】
また、第３の実施例において説明したナビゲーション装置２０Ａによれば、車載ＥＴＣ装置３０に装着されたＥＴＣカード３１が、登録カード番号２３ａとしてあらかじめ登録されていたＥＴＣカードの番号と異なる場合、当該車両に搭載されて、車載ＥＴＣ装置３０と接続されたナビゲーション装置２０Ａが盗品であるものと判定して、当該ナビゲーション装置２０Ａのナビゲーションサービス用の動作を一切不能な状態に設定するとともに、あらかじめ登録しておいた通報先へ盗品情報を通報することを促すメッセージを表示器２２に表示することによって、盗品ナビゲーション装置をより確実に発見することができる可能性が高くなり、結果的には、盗難の抑制に繋がることになる。
【００６６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００６７】
【図１】本発明による盗品判定システムの第１の実施例の概要を示す概念図である。
【図２】図１の盗品判定システムにおける盗品判定装置の内部構成の詳細を示すシステム構成図である。
【図３】図２に示す盗品判定システムの動作の一例を示すフローチヤートである。
【図４】本発明による盗品判定システムの第２の実施例の概要を示す概念図である。
【図５】図４の盗品判定システムにおける盗品判定装置の内部構成の詳細を示すシステム構成図である。
【図６】図５に示す盗品判定システム１０Ｂの動作の一例を示すフローチヤートである。
【図７】本発明によるナビゲーション装置の前述した実施例とは異なる内部構成の一例を示す構成図である。
【図８】図７に示すナビゲーション装置の動作の一例を示すフローチヤートである。
【符号の説明】
【００６８】
１０      盗品判定装置
１０Ａ    盗品判定システム
１０Ｂ    盗品判定システム
１１      取得部
１２      受信部
１３      照合部
１４      通報部
１５      動作制御部
２０      ナビゲーション装置
２０Ａ    ナビゲーション装置
２１      情報処理装置
２１ａ    カード番号登録部
２１ｂ    カード番号照合部
２１ｃ    動作制御部
２２      表示器
２３      不揮発性内蔵メモリ
２３ａ    登録カード番号
２４      接続部
３０      車載ＥＴＣ装置
３０ａ    ＥＴＣアンテナ
３１      ＥＴＣカード
４０      ＥＴＣゲート（道路通行料金徴収ゲート）
４１      ＥＴＣ装置
４２      ゲート開閉装置
４３      中央情報処理装置
５０      放送受信機
５０ａ    テレビアンテナ
６１      デジタルテレビ放送送信所
６２      放送局
１００    盗難情報サービスセンタ
２００    車両
【図１】
2010117830.tif 000003
【図２】
2010117830.tif 000004
【図３】
2010117830.tif 000005
【図４】
2010117830.tif 000006
【図５】
2010117830.tif 000007
【図６】
2010117830.tif 000008
【図７】
2010117830.tif 000009
【図８】
2010117830.tif 000010